(57)【要約】  【課題】  データを記録中の記録媒体を、後にデータが再生可能なように取り外せるようにする。  【解決手段】  取り外しスイッチが操作されると（ステップＳ１０）、現在記録中のメモリカードにおいて、ファイルクローズ処理（ステップＳ１１）およびメモリカード排出処理（ステップＳ１２）が行われる。排出処理は、ファイルクローズ処理が完了してからメモリカードが取り外し可能となるように、排出速度が制御される。排出されたメモリカードは、ユーザにより取り外される（ステップＳ１３）。ファイルクローズ処理が行われているので、取り外されたメモリカードに記録されているデータは、再生可能である。また、バッファメモリには継続してデータが溜め込まれているので、新たなメモリカードを装填することで、バッファメモリに溜め込まれたデータを新たなメモリカードに記録し、継続的に記録を行うことができる。【選択図】  図２
2005309540.tif 000002
【特許請求の範囲】
【請求項１】
着脱可能な記録媒体にデータを記録する記録手段と、
上記記録媒体に記録するためのデータを溜め込む記憶手段と、
ユーザの操作に応じて上記記録媒体の排出を指示する排出指示手段と、
上記排出指示手段の排出指示に応じて上記記録媒体に記録中のファイルのクローズ処理を行うファイルクローズ処理手段と、
上記排出指示手段の排出指示に応じて上記記録媒体を排出可能とする排出手段と
を有し、
上記排出指示手段で上記記録媒体の排出指示が出されても上記記憶手段に対するデータの記憶が継続されるようにしたことを特徴とする記録装置。
【請求項２】
請求項１に記載の記録装置において、
上記排出手段により上記記録媒体が排出可能とされた後に、他の記録媒体が上記記録手段に装填されたら、上記記憶手段に記憶された、上記ファイルクローズ手段によりファイルクローズ処理が行われた時点からのデータを上記他の記録媒体に記録して、記録を継続するようにしたことを特徴とする記録装置。
【請求項３】
請求項１に記載の記録装置において、
着脱可能な記録媒体にデータを記録する他の記録手段をさらに有し、
上記排出手段により上記記録媒体が排出可能とされた後に、上記記憶手段に記憶された、上記ファイルクローズ手段によりファイルクローズ処理が行われた時点からのデータを上記他の記録手段に装填された記録媒体に記録して、記録を継続するようにしたことを特徴とする記録装置。
【請求項４】
請求項１に記載の記録装置において、
上記排出手段は、上記ファイルクローズ手段による上記クローズ処理が完了後に上記記録媒体の排出可能とする処理が完了するように、上記排出可能とする処理の速度を制御するようにしたことを特徴とする記録装置。
【請求項５】
請求項４に記載の記録装置において、
上記ファイルクローズ手段による上記クローズ処理と、上記排出手段による上記排出可能とする処理とは、略同時に開始されることを特徴とする記録装置。
【請求項６】
請求項１に記載の記録装置において、
上記ファイルクローズ手段は、独立して再生可能な最小単位をデータの境界として上記ファイルを上記クローズ処理することを特徴とする記録装置。
【請求項７】
請求項１に記載の記録装置において、
上記排出手段は、電動駆動で上記記録媒体を排出可能とすることを特徴とする記録装置。
【請求項８】
請求項１に記載の記録装置において、
上記排出手段は、上記排出指示手段に加えられた力に基づき上記記録媒体を排出可能とすることを特徴とする記録装置。
【請求項９】
請求項１に記載の記録装置において、
上記排出手段は、上記記録媒体を固定させる固定機構を解除することによって上記記録媒体を排出可能としたことを特徴とする記録装置。
【請求項１０】
請求項１に記載の記録装置において、
上記記録媒体が上記ファイルクローズ手段により上記クローズ処理されていることを示す表示手段をさらに有することを特徴とする記録装置。
【請求項１１】
着脱可能な記録媒体にデータを記録する記録のステップと、
上記記録媒体に記録するためのデータを記憶手段に溜め込むステップと、
ユーザの操作に応じて上記記録媒体の排出を指示する排出指示のステップと、
上記排出指示のステップによる排出指示に応じて上記記録媒体に記録中のファイルのクローズ処理を行うファイルクローズ処理のステップと、
上記排出指示のステップによる排出指示に応じて上記記録媒体を排出可能とする排出のステップと
を有し、
上記排出指示のステップにより上記記録媒体の排出指示が出されても上記記憶手段に対するデータの記憶が継続されるようにしたことを特徴とする記録方法。
【発明の詳細な説明】
【技術分野】
【０００１】
この発明は、着脱自在の記録媒体に動画データを記録する記録装置および方法に関し、特に、記録媒体に半導体メモリを用い、動画データを記録中に記録媒体の取り外し操作を行えるようにした記録装置および方法に関する。
【背景技術】
【０００２】
近年では、記録可能な光ディスクや半導体メモリに関する技術が向上し、その記録容量が従来に比べ格段に増大してきている。それに伴い、放送局用の映像機器においても、記録メディアに光ディスクや半導体メモリを用いた映像機器が出現してきている。これら光ディスクや半導体メモリは、ランダムアクセスが可能であると共に、一般的には、コンピュータ装置に適用されるファイルシステムに準じた方式でデータの管理がなされ、従来から用いられている磁気テープと比して、アクセス性やデータの管理などの面で格段に有利である。特に、半導体メモリは、小型で可動部分が無いため、振動に強い、低消費電力、多数のメディアを持ち歩いても嵩張らない、などの点から、携帯型のビデオカメラの記録メディアとして用いて好適である。
【０００３】
半導体メモリは、例えばフラッシュメモリを記録媒体とし、外部に対するインターフェイス回路と共に、ＰＣＭＣＩＡ(Personal Computer Memory Card International Association)に規定されるＰＣカードといった汎用的なパッケージに格納され、メモリカードとして用いられる。形状およびインターフェイス仕様が同一であれば、容量や型番などを問わず、差し替えて用いることができるようにされている。また、記録データの管理方式としては、コンピュータ装置などで用いられるファイルシステムが適用されることが多く、この場合には、データの記録および再生をコンピュータ装置を用いて行うことができる。特許文献１には、メモリカードを用いたビデオカメラが記載されている。
【特許文献１】特開２００３−２０４５２７
【発明の開示】
【発明が解決しようとする課題】
【０００４】
ところで、一般的に、着脱可能とされた記録媒体は、記録装置に装填された状態から取り外す際には、意識して記録終了処理を行う必要があった。そのため、緊急時、あるいは、不用意に、記録媒体を所定の処理を行わずに不正に取り出すと、記録されたデータが不完全な状態となり、後にそのデータを再生することができなくなるという問題点があった。
【０００５】
例えば、メモリカードの例では、ホスト側がファイルシステムを持つ場合、記録の開始時にファイルオープン処理が行われ、ディレクトリエントリがメモリに書き込まれる。ディレクトリエントリ書き込み時には、ファイル名とサイズが０とされファイルサイズ情報とがメモリの管理領域に書き込まれる。ファイルオープンの処理に続けてユーザデータがメモリに書き込まれる。記録終了時には、ファイルクローズ処理が行われ、ディレクトリエントリが更新される。ディレクトリエントリの更新により、最終ファイルサイズがデータとしてメモリに書き込まれる。このディレクトリエントリの更新処理が行われないと、ホスト側では、ユーザデータを認識することができない。
【０００６】
このように、従来では、所定の記録終了処理を行わずに、不正にメモリカードを取り外してしまうと、ホスト側で記録データを認識できなくなってしまっていた。
【０００７】
また、現状で用いられているメモリカードは、動画データの記録などに従来から用いられている磁気テープや光ディスクなどの記録媒体に比べて、記録容量が少ない。そのため、メモリカードを記録媒体として用いて長時間の記録を行おうとする場合には、複数のメモリカードを交換しながら記録を行う必要があった。そこで、複数のメモリカードを同時に装填して、１枚のメモリカード容量が無くなる度に順次、他のメモリカードに記録先を変更しながら連続記録を実現するような記録装置も提案されている。
【０００８】
ところが、このような記録装置においても、記録中のメモリカードが不正に取り外されてしまうと、取り外されたこのメモリカードに記録された動画データが再生できないため、動画の連続記録を行うことができなくなってしまうという問題点があった。さらにこの場合、前のメモリカードへの記録終了処理が行われていないため、次のメモリカードに対して記録を継続できない可能性もあった。
【０００９】
したがって、この発明の目的は、データを記録中の記録媒体を、後にデータが再生可能なように取り外せるようにした記録装置および方法を提供することにある。
【課題を解決するための手段】
【００１０】
この発明は、上述した課題を解決するために、着脱可能な記録媒体にデータを記録する記録手段と、記録媒体に記録するためのデータを溜め込む記憶手段と、ユーザの操作に応じて記録媒体の排出を指示する排出指示手段と、排出指示手段の排出指示に応じて記録媒体に記録中のファイルのクローズ処理を行うファイルクローズ処理手段と、排出指示手段の排出指示に応じて記録媒体を排出可能とする排出手段とを有し、排出指示手段で記録媒体の排出指示が出されても記憶手段に対するデータの記憶が継続されるようにしたことを特徴とする記録装置である。
【００１１】
また、この発明は、着脱可能な記録媒体にデータを記録する記録のステップと、記録媒体に記録するためのデータを記憶手段に溜め込むステップと、ユーザの操作に応じて記録媒体の排出を指示する排出指示のステップと、排出指示のステップによる排出指示に応じて記録媒体に記録中のファイルのクローズ処理を行うファイルクローズ処理のステップと、排出指示のステップによる排出指示に応じて記録媒体を排出可能とする排出のステップとを有し、排出指示のステップにより記録媒体の排出指示が出されても記憶手段に対するデータの記憶が継続されるようにしたことを特徴とする記録方法である。
【００１２】
上述したように、この発明は、ユーザの操作に応じた着脱可能な記録媒体の排出指示に応じて、記録媒体に記録中のファイルのクローズ処理を行うと共に、排出指示に応じて記録媒体を排出可能とし、記録中の記録媒体に対して排出指示が出されても、記録媒体に記録するためのデータを溜め込む記憶手段に対するデータの記憶が継続されるようにしているため、記録媒体にデータを記録中に記録媒体を排出しても、記録媒体に記録されたデータは、後に再生可能である。
【００１３】
また、ファイルクローズ処理が行われても記憶手段に対するデータの記憶が継続されるため、記録媒体の排出後に他の記録媒体を装填して記憶手段に記憶されているデータを装填された他の記録媒体に記録することで、記録媒体を交換しながらの連続記録が可能である。
【発明の効果】
【００１４】
この発明は、メディア装填部に装填された記録媒体に対する取り外し操作を行うことで、当該記録媒体に対するファイルクローズ処理と、当該記録媒体のメディア装填部からの排出処理とを自動的に行うようにされているため、記録媒体に記録されたデータが再生可能なように、現在記録中の記録媒体を取り出すことができるという効果がある。
【００１５】
また、この発明は、メディア装填部を複数有し、複数のメモリカードを装填可能な場合に、取り外し操作を行うだけで現在記録中メモリカードに対する記録終了処理（ファイルクローズ処理）および排出処理と、次のメモリカードに対する記録開始処理を自動的に行うようにしているため、より長時間の連続記録が可能となる効果がある。
【００１６】
また、この発明は、取り外し操作を行うだけで、現在記録中のメモリカードに対する記録処理が終了されると共に、当該メモリカードが排出される。データは、バッファメモリに継続的に記憶されているため、次のメモリカードをメディア装填部に装填すれば、バッファメモリに記憶されたデータがメモリカードに記録されると共に、新たなデータがメモリカードにさらに記録される。そのため、より長時間の連続記録が可能とされる効果がある。さらに、バッファメモリを用いているため、メディア装填部を複数有さなくても、複数枚のメモリカードを用いた連続記録が可能であるという効果がある。
【発明を実施するための最良の形態】
【００１７】
以下、この発明の実施の第１の形態を、図面を参照しながら説明する。図１は、この発明の実施の第１の形態に適用されるビデオカメラ装置１の外観を概略的に示す。なお、図１において、ビューファインダや操作部など、この発明にとって関連性の薄い部分については、繁雑さを避けるため、記載を省略する。この発明の実施の第１の形態では、ビデオカメラ装置１は、メモリカード１３を記録媒体として用いる。メモリカード１３は、例えばフラッシュメモリなどの半導体メモリと、その制御回路とを所定の規格のカードパッケージ内にパッケージングしたものである。ビデオカメラ装置１において、本体１０に対して、メモリカード１３が着脱自在に装填可能なメディア装填部１２が設けられる。スイッチ１４は、メディア装填部１２に装填されたメモリカード１３をメディア装填部１２から取り外す指示を出すための取り外しスイッチである。
【００１８】
なお、ビデオカメラ装置１に適用可能な記録媒体は、メモリカード１３に限られない。例えば、記録可能な光ディスクや、着脱可能とされたハードディスクドライブなど、着脱可能で、且つ、記録データをファイルとして記録するようなものであれば、他の記録媒体を用いることもできる。
【００１９】
また、ＬＥＤ１５（Ｇ）、１５（Ｒ）は、例えばＬＥＤ１５（Ｇ）が緑色に発光するＬＥＤ(Light Emitting Diode)、ＬＥＤ１５（Ｒ）が赤色に発光するＬＥＤであって、メディア装填部１２に装填されたメモリカード１３がファイルオープン状態にあるか、ファイルクローズ状態にあるかを表示する。一例として、緑色のＬＥＤ１５（Ｇ）が点灯中は、メモリカード１３がファイルクローズ状態を示し、赤色のＬＥＤ１５（Ｒ）が点灯中は、メモリカード１３がファイルオープン状態であることを示す。これらの表示は、一例であって、これに限定されるものではない。例えば、ＬＥＤは、赤色と緑色との組み合わせである必要はなく、他の色の組み合わせでもよいし、１個のＬＥＤを用いて点滅と点灯を組み合わせて、メモリカード１３の状態を表現してもよい。また、発光素子も、ＬＥＤに限られない。
【００２０】
ビデオカメラ装置１は、被写体からの光を光学系１１により本体１０内の撮像部に入射し、入射された光を電気信号に変換する。図示されない操作部に対するユーザの操作に応じて、撮影され電気信号に変換された光が後述するようにしてさらにディジタルビデオ信号に変換され、所定の処理の後、内蔵されるバッファメモリに一旦溜め込まれる。バッファメモリに溜め込まれたディジタルビデオ信号は、バッファメモリからの読み出しを所定に制御され、メディア装填部１２に装填されたメモリカード１３に書き込まれる。ディジタルビデオ信号の記録中に、取り外しスイッチ１４を操作すると、メモリカード１３の取り外しが指示され、メモリカード１３においてファイルクローズ処理が行われると共に、メモリカード１３のメディア装填部１２からの排出処理が行われる。
【００２１】
図２は、この発明の実施の第１の形態によるメモリカード排出処理の一例のフローチャートを示す。なお、図２および以下の同様なフローチャートにおいて、二重枠で示した処理は、ユーザによる操作を示す。このフローチャートの処理に先立って、ビデオカメラ装置１において、図示されない操作部の操作に応じて撮影動作が行われ、メディア装填部１２に装填されたメモリカード１３においてファイルオープン処理がなされ、オープンされたファイルに対して撮影されたディジタルビデオ信号が記録される。
【００２２】
ビデオカメラ装置１において、ディジタルビデオ信号をメモリカード１３に記録中に取り外しスイッチ１４を操作すると（ステップＳ１０）、メモリカード１３において、記録中のファイルに対してファイルクローズ処理が実行される（ステップＳ１１）。次のステップＳ１２で、メモリカード１３のメディア装填部１２からの排出処理が行われる。排出動作が完了されると、メモリカード１３がメディア装填部１２から取り出し可能な状態となる。ステップＳ１３で、ユーザによりメモリカード１３がメディア装填部１２から取り出される。
【００２３】
ここで、図２のフローチャートの処理において、ステップＳ１２の排出処理は、ステップＳ１１で開始されたメモリカード１３におけるファイルクローズ処理が完了するまでは、メモリカード１３においてビデオカメラ装置１との間の必要な接続が保たれるように行われる。
【００２４】
ファイルクローズ処理に要する時間は、ファイルシステムがメモリカード側にあるか、ホスト（ビデオカメラ装置１）側にあるか、また、ファイルシステムがホスト側にある場合、ホストの処理速度の如何により様々である。一例として、メモリカード側がファイルシステムを持つ場合、ファイルクローズ処理が開始されてから完了するまで、略１００ｍｓｅｃを要する。また、ホスト側がファイルシステムを持つ場合、ホスト９０の処理速度に大きく依存されるが、ファイルクローズ処理が開始されてから完了するまで、略１ｓｅｃを要する。
【００２５】
この発明の実施の第１の形態では、メモリカード１３に対するファイルクローズ処理が完了後に、メモリカード１３がメディア装填部１２から取り外し可能な状態になるように、メモリカード１３のメディア装填部１２からの排出速度が制御される。
【００２６】
図３〜図５は、メモリカード１３が排出される際の排出速度を制限可能な、メディア装填部１２の構造例を示す。図３は、取り外しスイッチ１４を押し込むことで、メモリカード１３（メモリカード）が所定の時間をかけてメディア装填部１２から押し出されるようにした一例の構造を示す。なお、図３において、「●（黒丸）」で示される回転軸（回転軸１０７および１０８）は、移動する部品に取り付けられた回転軸であり、「○（白丸）」で示される回転軸（回転軸１０９および１１０）は、固定された部品に取り付けられた回転軸である。また、電気スイッチ１０６は、メモリカード１３が取り外される操作が行われたことを、ビデオカメラ装置１のシステムコントローラなどに対して通知するための制御信号を出力する。
【００２７】
メモリカード１３が装填されていない状態において、上下に可動とされた排出部材１０１は、例えばＬ字型部が電気コネクタ２００の位置と略一致するような高さに設けられ、底部がバネ部材１０５により支持されている。また、排出部材１０１は、内部にラックアンドピニオンギア構造を有し、油圧シリンダなどにより構成される緩衝器（図示しない）を作用させる。これにより、排出部材１０１が押し込まれた状態から排出バネ１０５の反発力により元の位置に戻される動作の速度を、所定速度に制限するようにしている。
【００２８】
隙間生成部材１０３は、排出部材１０１に回転軸１０７で回動自在に取り付けられ、その側面が排出部材ロック部材１０４の斜面部に接するようにされている。また、隙間生成部材１０３の上面部は、メモリカード１３が押し込まれた際に、メモリカード１３の下端隅と、排出部材ロック部材１０４とが共に接するように、広く作られている。排出部材ロック部材１０４は、メディア装填部１２に対して回転軸１１０により回動自在に固定され、図示されないバネ材などにより、図３に示されるような姿勢を回転軸１１０について左回転方向に対して保つようにされている。
【００２９】
このような構造において、メモリカード１３を押し込むと、隙間生成部材１０３の上面がメモリカード１３の下端隅により押され、それにより、排出部材１０１が押し込まれる。また、メモリカード１３が押し込まれると、隙間生成部材１０３により排出部材ロック部材１０４が左回転方向に押され、さらにメモリカード１３が押し込まれると、排出部材ロック部材１０４がバネ部材により元の位置（図３に示される位置）に戻り、隙間生成部材１０３の上側をロックする。また、この位置までメモリカード１３が押し込まれると、メモリカード１３のコネクタが電気コネクタ２００に対して挿着され、メモリカード１３のコネクタと電気コネクタ２００とが電気的に接続される。
【００３０】
取り外しスイッチ１４を押し込むと、その動作が取り外しスイッチ棒１０２を介して電気スイッチ１０６を押し込み、例えばシステムコントローラに対してメモリカード１３を取り外す操作が行われたことが通知される。この通知に基づき、メモリカード１３におけるファイルクローズ処理が開始される。
【００３１】
一方、取り外しスイッチ棒１０２が押し込まれる動作に伴い、リンク１１１が回転され、隙間生成部材１０３が排出部材ロック部材１０４から外れる。隙間生成部材１０３が排出部材ロック部材１０４から外れると、排出バネ１０５の反発力により排出部材１０１が押し上げられる。このとき、排出部材１０１のラックアンドピニオンギア機構が図示されない緩衝器に作用し、排出部材１０１が排出バネ１０５により押し上げられる速度が所定に制限される。メモリカード１３は、これらの動きに伴い排出部材１０１に下端隅を押されて押し上げられ、電気コネクタ２００から抜脱され電気的接触が切断されると共に、メディア装填部１２から取り外し可能な状態とされる。
【００３２】
上述したように、排出部材１０１が押し上げられる速度は、図示されない緩衝器により所定に制限される。取り外しスイッチ１４が押し込まれるのに伴い開始されるメモリカード１３のファイルクローズ処理が完了してから、メモリカード１３が電気コネクタ２００から抜脱されるように、緩衝器の動作を調整することで、メモリカード１３に対してディジタルビデオ信号を記録中に取り外しスイッチ１４を押しても、排出されたメモリカード１３に記録されたデータを後に再生可能なようにできる。
【００３３】
図４は、取り外しスイッチ１４を用いないで、メモリカード１３の着脱を行うようにしたメディア装填部１２の第１の構造例である。図４Ａが正面図、図４Ｂが側面図、図４Ｃが案内溝板の平面図を示す。この図４の例では、メモリカード１３をメディア装填部１２に装填し、１回目に押し込んだときにメモリカード１３が電気コネクタ２００に接続され、２回目に押し込んだときに、緩衝器１２８により排出速度が所定に制限されてメモリカードがメディア装填部１２から取り外されるようになっている。
【００３４】
図４Ａにおいて、排出部材１２０は、メモリカード１３がメディア装填部１２に装填されたときに、凹部の肩部１２０Ａおよび１２０Ｂがメモリカード１３と当接するように形成され、底部が排出バネ１２７により支持される。また、排出部材１２０の下部中央付近に、排出部材１２０の両面に対して案内溝移動突起部１２３が設けられる。さらに、排出部材１２０は、長辺の側面にラックアンドピニオンギア機構が設けられ、例えば油圧シリンダを用いた緩衝器１２８を作用させるようになっている。
【００３５】
図４Ｂに示されるように、一体的に形成されたロック部材１２１およびロック部材補助板１２１’が、排出部材１２０を両側から挟むように設けられる。ロック部材１２１は、メモリカード１３が装填されたときに排出部材１２０の外側の肩部１２０Ｃを係止するように、爪部１２１Ａが設けられる。それと共に、後述する案内溝板１３０の働きにより押しつけられた排出部材１２０の突起部１２３が係合し、且つ、排出部材１２０が押し下げられるときにロック部材１２１（およびロック部材補助板１２１’）が左方向へ移動するように、案内溝１２５が設けられる。また、ロック部材補助板１２１’は、案内溝板１３０の働きにより押しつけられた排出部材１２０の突起部１２３が係合し、且つ、排出部材１２０が押し上げられるときにロック部材１２１（およびロック部材補助板１２１’）が右方向へ移動するように、案内溝１２６が設けられる。案内溝１２５および１２６は、図４Ａの方向から見て斜部が互いに交差するように設けられる。
【００３６】
さらに、ロック部材１２１には、底部に案内溝移動突起部１２４が設けられる。この案内溝移動突起部１２４は、案内溝板１３０の案内溝１３２または１３３に対して当接される。
【００３７】
図４Ｃに示されるように、案内溝板１３０は、案内溝仕切板１３１で案内溝１３２および１３３に分割された、菱形の案内溝を有する。案内溝仕切板１３１は、両端が曲がるようになっており、上述したロック部材１２１の底部の案内溝移動突起部１２４は、ロック部材１２１の左右方向の移動に伴い、案内溝仕切板１３１の一方の端を押し曲げて、案内溝１３２および１３３の間を移動するようにされている。
【００３８】
このような構造において、当初メモリカード１３が装填されていない状態では、ロック部材１２１の案内溝移動突起部１２４が案内溝板１３０の案内溝１３３側の右端にあり、ロック部材１２１側が排出部材１２０に押しつけられている。この状態から１回目にメモリカード１３が押し込まれると、メモリカード１３の下端の両端部が排出部材１２０の凹部に設けられた肩部１２０Ａおよび１２０Ｂに当接され、排出部材１２０が押し込まれると共に、メモリカード１３のコネクタが電気コネクタ２００に対して挿着され、メモリカード１３と電気コネクタ２００とが電気的に接続される。
【００３９】
メモリカード１３が押し込まれるのに伴い、案内溝移動突起部１２３がロック部材１２１に設けられた案内溝１２５に沿って下がり、案内溝１２５の形状に応じてロック部材１２１が左方向に移動され、爪部１２１Ａが排出部材１２０の肩部１２０Ｃに当接され、排出部材１２０がロック部材１２１によりロックされる。同時に、案内溝移動突起部１２４が案内溝１３３から案内溝１３２へと移動し、ロック部材補助板１２１’が排出部材１２０側に押しつけられ、案内溝移動突起部１２３が案内溝１２５から抜ける。
【００４０】
この状態で、メモリカード１３を離すと、案内溝移動突起部１２３は、案内溝１２６に移ることになる。図４は、この時点での状態を示している。
【００４１】
２回目、すなわち、メモリカード１３が装填されている状態でメモリカード１３を押し込むと、案内溝移動突起部１２３が案内溝１２６に沿って下がる。すると、ロック部材１２１が右方向に移動し、ロック部材１２１の爪部１２１Ａが排出部材１２０の肩部１２０Ｃから外れ、排出部材１２０が解放される。排出部材１２０が解放されると、排出バネ１２７の反発力により排出部材１２０が押し上げられ、メモリカード１３が排出される。このとき、排出部材１２０が押し上げられる速度は、緩衝器１２８により所定に制限される。
【００４２】
図５は、取り外しスイッチ１４を用いないで、メモリカード１３の着脱を行うようにしたメディア装填部１２の第２の構造例である。図５Ａが正面図、図５Ｂが側面図、図５Ｃが案内溝板の平面図、図５Ｄが別の例の側面図を示す。この第２の構造例も、上述した第１の構造例と同様に、メモリカード１３をメディア装填部１２に装填し、１回目に押し込んだときにメモリカード１３が電気コネクタ２００に接続され、２回目に押し込んだときに、緩衝器１２７により排出速度が所定に制限されてメモリカードがメディア装填部１２から取り外されるようになっている。なお、図５に関する以下の説明において、上述した図４と共通する部分には同一の符号を付し、詳細な説明を省略する。
【００４３】
この図５の例でも、１回目にメモリカード１３を押し込むと、排出部材１４０がメモリカード１３に押されて下がってきて、メモリカード１３のコネクタが電気コネクタ２００に対して挿着され、メモリカード１３と電気コネクタ２００とが電気的に接続される。排出部材１４０が下がるのに伴い、排出部材１４０に設けられた案内溝移動突起部１２３がロック部材１４２の案内溝１２５に沿って下がってくる。すると、ロック部材１４２が左側に移動し、排出部材１４０をロックする。ロック部材１４２が左方向に移動するのに伴って、ロック部材１４２の底部に設けられた案内溝移動突起部１２４が案内溝１３３から案内溝１３２へと移動し、案内溝移動突起部１２３が、ロック部材１４２と一体的に形成されたロック部材補助板１４２’に押しつけられ、案内溝１２５から抜ける。
【００４４】
この状態で、メモリカード１３を離すと、案内溝移動突起部１２３は、ロック部材補助板１４２’に設けられた案内溝１２６’に移ることになる。このとき、案内溝１２６’は、案内溝１２５に対して上端側が短く形成されているので、排出部材１４０を途中で止めることになる。図５は、この時点での状態を示している。この図５に示される第２の例の構造では、メモリカード１３を１回目に押し込んで、メモリカード１３を離しても、排出部材１４０が上まで戻らないようになっているため、図４を用いて説明した第１の例と比して、排出部材１４０の肩部１２０Ｃや、ロック部材１４２の爪部１２１Ａなどの構造を設ける必要が無い。
【００４５】
２回目、すなわち、メモリカード１３が装填されている状態でメモリカード１３を押し込むと、案内溝移動突起部１２３が案内溝１２６に沿って下がる。すると、案内溝移動突起部１２４が案内溝１３２から案内溝１３３に移動し、案内溝移動突起部１２３がロック部材１４２に押しつけられ、案内溝移動突起部１２３が案内溝１２６’を外れ案内溝１２５に移動する。排出部材１４０は、引っ張りコイルバネ１４１により、案内溝１２５の上端に案内溝移動突起部１２３が達するまで、高く押し上げられ、メモリカード１３が排出される。このとき、排出部材１４０が押し上げられる速度は、緩衝器１２８により所定に制限される。
【００４６】
なお、図５の構造では、ロック部材１４２およびロック部材補助板１４２’が、排出部材１４０との平行関係を保ったまま、案内溝１２５および１２６’に沿って移動する必要がある。このためには、例えば図５Ｄに一例が示されるように、ロック部材１４２”の上部を長く形成し、上端にレール１４３を取り付けるようにすればよい。これは、図４の構造にも適用可能である。
【００４７】
上述した図４および図５の構造では、取り外しスイッチ１４を用いないので、他の方法により、メモリカード１３のファイルクローズ処理を実現する必要がある。例えば、メモリカード１３のコネクタと、ビデオカメラ装置１本体の電気コネクタ２００との電気的接続状態に基づき、ファイルクローズ処理を行う方法が考えられる。
【００４８】
ここで、メモリカード１３の構成、ならびに、ファイルオープンおよびクローズ処理について説明する。図６は、メモリカード１３の一例の構成を示す。なお、図６において、ビデオカメラ装置１本体側の構成を、メモリカード１３に対するホストコントローラ９０として概略的に示す。メモリカード１３は、コントローラ部８０とフラッシュメモリ部８１とからなる。コントローラ部８０は、ＣＰＵ８３、メモリ８４、レジスタ８５およびページバッファ８６を有し、ホストインターフェイス８２を介してホスト９０と接続される。
【００４９】
レジスタ８５は、ホスト９０との間でステータスやデータのやりとりを行うためのもので、ホスト９０は、このレジスタ８５をアクセスすることで、メモリカード１３に対してコマンドなどを渡したり、メモリカード１３のステータスを受け取ったりすることができる。例えば、ホスト９０からメモリカード１３に対して送信される、データ書き込みや読み出しのコマンドや、ファイル名は、一旦レジスタ８５に書き込まれる。また、メモリカード１３側からは、フラッシュメモリ部８１のステータス情報などをレジスタ８５に書き込む。
【００５０】
フラッシュメモリ部８１は、物理ブロックアドレス(Physical Block Address：ＰＢＡ）によってアドレス指定される１または複数のブロック８８、８８、・・・からなる。すなわち、メモリカード１３に供給されたデータは、ＰＢＡによりアドレス指定され、ブロック８８を単位として書き込まれる。コントローラ部８０とフラッシュメモリ部８１とは、フラッシュインターフェイス８７を介して接続される。
【００５１】
図７は、フラッシュメモリ部８１の一例の構成をより詳細に示す。ブロック８８は、さらにページ８９、８９、・・・に分割される。ページ８９、８９、・・・のそれぞれは、物理ページアドレス(Physical Page Address：ＰＰＡ)によりアクセスされる。図７の例では、１ページは、２１１２バイトの容量を有し、１ブロックは、６４ページからなる。また、１ページにおいて、２１１２バイトのうち２０４８バイトがデータ領域であって、データ領域は、４個の５１２バイトの領域に区切られる。例えば書き込みの際には、ホスト９０から送信されたユーザデータは、ページバッファ８６にバッファリングされ、ページ８９のデータ領域に書き込まれる。１ページの残りの６４バイトは、１６バイト毎に区切られ、データ領域に書き込まれるデータのためのＥＣＣ(Error Correction Coding)、管理フラグおよびＥＣＣのための管理フラグが格納される。したがって、１ブロックの実質的なデータ容量は、１２８ｋバイトとなる。
【００５２】
なお、初期不良や使用中の後発不良は、ブロック単位で管理される。不良のため書き込みができないブロックを、ＢａｄＢｌｏｃｋ、ＢａｄＢｌｏｃｋではないブロックをＧｏｏｄＢｌｏｃｋと呼ぶ。
【００５３】
次に、メモリカード１３に対するデータの書き込み処理およびメモリカード１３からのデータの読み出し処理について説明する。データの書き込みおよび読み出し処理は、ファイルシステムがホスト９０側にあるか、メモリカード１３側にあるかで異なる。
【００５４】
ホスト９０側がファイルシステムを持つ場合、図６に一例が示されるように、ホスト９０側が論理ブロックアドレス(Logical Block Address：ＬＢＡ）で以て書き込みアドレスを指定して、書き込みがなされる。すなわち、ホスト９０は、ファイル名とＬＢＡとを対応付けて管理し、書き込みを行う際には、書き込まれるファイルのＬＢＡをメモリカード１３側でＰＢＡに変換させる。
【００５５】
先ず、メモリカード１３の内部では、フラッシュメモリ部８１の各ブロック８８、８８、・・・について、初期不良情報を取得する。ホスト９０側がファイルシステムを持つ場合には、ホスト９０側は、論理ブロックアドレス(Logical Block Address：ＬＢＡ）で以て書き込みアドレスを指定する。ホスト９０からの書き込み要求がホストインターフェイス８２を介してＣＰＵ８３に供給されると、ＣＰＵ８３は、フラッシュインターフェイス８７を介してフラッシュメモリ部８１にアクセスし、データを消去済みのＧｏｏｄＢｌｏｃｋのＰＢＡを取得する。
【００５６】
ホスト９０から供給された記録データは、ホストインターフェイス８２を介して例えばページバッファ８６に溜め込まれる。また、ＬＢＡで供給される書き込みアドレス情報は、ＣＰＵ８３によりＧｏｏｄＢｌｏｃｋのＰＢＡに変換され、例えばメモリ８４に書き込まれる。ページバッファ８６に１ページ分の記録データが溜め込まれると、ＣＰＵ８３の制御により、ページバッファ８６から記録データが読み出され、フラッシュインターフェイス８７を介してフラッシュメモリ部８１に供給され、対応する当該記録データに対応するＰＢＡのブロック８８内の所定ページにに書き込まれる。さらに、書き込まれたデータに対して、ＬＢＡからＰＢＡへの変換情報や、何ページ書き込んだかといった管理情報を付加して書き込む。
【００５７】
読み出し時は、ホスト９０からＬＢＡが指定され、ＣＰＵ８３により、このＬＢＡが管理情報に基づきＰＢＡに変換される。変換されたＰＢＡのブロック８８からデータが読み出され、ページバッファ８６およびホストインターフェイス８２を介してホスト９０に送信される。
【００５８】
図８を用いて、この、ホスト９０側がファイルシステムを持つ場合の、ファイルのオープンおよびクローズ処理について説明する。メモリカード１３に対して新たにデータを書き込む際には、ホスト９０側からＬＢＡが指定され、メモリカード１３に対してディレクトリエントリが書き込まれ、ファイルオープン処理が行われる（ステップＳ１００）。ディレクトリエントリの書き込み処理で、ファイル名と初期のファイルサイズ（サイズ「０」）がメモリカード１３に対して書き込まれる。ディレクトリエントリの書き込みが終了されると、ホスト９０からメモリカード１３に対してユーザデータが送信され、ホスト９０から指定されたＬＢＡが変換されたＰＢＡに対して、ユーザデータが書き込まれる（ステップＳ１０１）。ユーザデータの書き込みが終了すると、ディレクトリエントリの更新処理により、書き込まれたユーザデータによる最終的なファイルサイズがメモリカード１３に対して書き込まれ、ファイルクローズ処理が行われる（ステップＳ１０２）。
【００５９】
このホスト９０側がファイルシステムを持つ例では、ホスト９０がメモリカード１３に対して、ユーザデータ以外のデータ（ディレクトリエントリ）を書き込むことになる。ファイルクローズ処理が正常に終了せず、ディレクトリエントリの更新が行われないと、後に、ホスト９０は、このときに書き込んだユーザデータを認識することができない。
【００６０】
図９は、メモリカード１３側がファイルシステムを持つ場合の処理の例である。ファイルシステムをメモリカード１３側が持つ場合、ホスト９０がファイルを指定して、その後にファイルに対する操作を指定するという手順になる。すなわち、メモリカード１３側では、ホスト９０から指定されたファイル名に対してＰＢＡを対応付けて、当該ＰＢＡに対してデータの書き込みを行う。
【００６１】
メモリカード１３の内部において、先ず、上述と同様にしてフラッシュメモリ部８１の各ブロック８８、８８、・・・について、初期不良情報を取得する。ホスト９０から書き込み要求があると、メモリカード１３側において、データを消去済みのＧｏｏｄＢｌｏｃｋのＰＢＡが取得される。ホスト９０からは、書き込み要求の際に、書き込みを行うデータに対して新たにファイル名が指定されるので、メモリカード１３側では、指定された新たなファイル名とデータを消去済みのＧｏｏｄＢｌｏｃｋのＰＢＡとの対応付けを行う。そして、ホスト９０から供給されたデータを、対応付けがなされたＰＢＡのブロック８８、８８、・・・に対して書き込む。さらに、メモリカード１３内部で書き込まれたデータに対する管理情報を付加して書き込む。
【００６２】
読み出しの際には、ホスト９０から読み出したいデータのファイル名がメモリカード１３に対して指定される。メモリカード１３は、データの書き込み時に記録された管理情報に基づきファイル名をＰＢＡに変換する。そして、変換されて得られたＰＢＡに基づきデータを読み出し、ホスト９０に送信する。
【００６３】
図１０を用いて、この、メモリカード１３側がファイルシステムを持つ場合の、ファイルのオープンおよびクローズ処理について説明する。メモリカード１３に対して新たにデータを書き込む際には、メモリカード１３は、ファイルオープン処理により、ホスト９０側から指定されたファイル名に対して新たなＰＢＡを対応付ける（ステップＳ１１０）。ホスト９０から送信されたユーザデータは、ステップＳ１１０で対応付けられたＰＢＡから順に、ブロック８８、８８、・・・に対して書き込まれる（ステップＳ１１１）。ユーザデータの書き込みが終了されると、メモリカード１３内部でファイルサイズ情報などの管理情報が更新され、ファイルクローズ処理が行われる（ステップＳ１１２）。
【００６４】
このように、メモリカード１３側でファイルシステムを持つ場合は、ホスト９０からユーザデータ以外のデータの書き込みが行われず、ファイルクローズ時に、メモリカード１３内部のデータで処理が完結できる。
【００６５】
図１１〜図１３を用いて、取り外しスイッチ１４を用いないでファイルクローズ処理を実現する方法について説明する。これら図１１〜図１３で示される方法と、上述の図４、図５で示される機構とを組み合わせて用いることで、取り外しスイッチ１４を用いずに、ファイルクローズ処理とメモリカード１３の排出動作とを伴わせることが可能である。
【００６６】
図１１は、メディア装填部１２に設けられた蓋１５０の開閉を検知することで、ホストコントローラ９０またはメモリカード１３に対して割り込みを発生させ、この割り込みにより、メモリカード１３におけるファイルクローズ処理を行うものである。例えば、メモリカード１３をメディア装填部１２に装填する際に、蓋１５０が倒されて開かれ、割り込みが発生され、メモリカード１３においてファイルクローズ処理が行われる。この例は、ファイルシステムがホスト９０側およびメモリカード１３側の何方にあっても、実装が可能である。
【００６７】
ファイルシステムがホスト９０側にある場合には、例えば、メモリカード１３の排出のために蓋１５０が開かれると、ホスト９０がこれを検知し、上述したステップＳ１０２の、ホスト９０側からメモリカード１３に対するディレクトリエントリの更新処理などのファイルクローズ処理が行われる。一方、ファイルシステムがメモリカード１３側にある場合には、例えば、排出のために蓋１５０が開かれたことがホスト９０からメモリカード１３に対して通知され、メモリカード１３は、この通知を受け、上述したステップＳ１１２の、メモリカード１３の内部でのファイルサイズ情報などの更新を行い、ファイルクローズ処理を行う。
【００６８】
図１２は、メモリカード１３が電気コネクタ２００から抜かれた際に割り込みを発生させ、その割り込みによってファイルクローズ処理を行うようにした例である。図１２Ａは、メモリカード１３が電気コネクタ２００から抜かれる過程で、ホスト９０に対して割り込みが発生するようにした例である。メモリカード１３において、ホストインターフェイス８２には、データ信号やコントロール信号のやりとりを行う端子（Ｄａｔａ、Ｃｏｎｔ）の他に、メモリカード１３に対して電源を供給するＶｃｃ端子１５１およびアース（ＧＮＤ）端子１５３が設けられている。これらは、ホスト９０側のＶｃｃ端子１５４およびＧＮＤ端子１５６とそれぞれ接続されることで、メモリカード１３に対して電源電圧が供給される。
【００６９】
この図１２Ａの例では、ホストインターフェイス８２およびホスト９０側のコネクタに対して、さらにディテクト（Ｄｅｔｅｃｔ）端子１５２および１５５がそれぞれ設けられる。メモリカード１３側において、Ｖｃｃ端子１５１とディテクト端子１５２とが結線される。また、ディテクト端子１５２が他の端子に比べて、メモリカード１３側に奥から導通部が現れるように設けられる。また、ホスト９０において、ディテクト端子１５５は、ホスト９０の制御を司るコントローラ１５８の割り込み端子に接続される。コントローラの割り込み端子には、さらに高抵抗１５７が接続され、高抵抗の他端がＧＮＤ端子１５６に接続される。
【００７０】
このような構成において、メモリカード１３がメディア装填部１２から排出されると、その過程で、他の端子に先んじて、ディテクト端子１５２がホスト９０側の対応するディテクト端子１５５から離れる。すると、コントローラ１５８の割り込み端子の電位がＶｃｃ電位からＧＮＤ電位に変化し、コントローラ１５８に対して割り込みが発生する。ホスト９０側がファイルシステムを持っている場合、コントローラ１５８は、図８のステップＳ１０２で説明したように、この割り込みに対応して、メモリカード１３側に対してアクセスし、ディレクトリエントリの更新処理を行う。ファイルシステムをメモリカード１３側が持っている場合には、図１０のステップＳ１１２で説明したように、割り込みに対応し、ホスト９０は、メモリカード１３に対してファイルクローズ要求を送信する。メモリカード１３は、この要求に応じてファイルクローズ処理を行う。
【００７１】
メモリカード１３側のディテクト端子１５２は、Ｖｃｃ端子１５１やＧＮＤ端子１５３など、メモリカード１３のホストインターフェイス８２の他の端子よりも奥に配置されているため、ディテクト端子１５２がホスト９０側のディテクト端子１５５と離れても、他の端子は、ホスト９０側の対応する端子と接続されている。ディテクト端子１５２がホスト９０側のディテクト端子１５５と離れてから、メモリカード１３の他の端子が対応するホスト９０側の他の端子と離れるまでの間に、メモリカード１３におけるファイルクローズ処理が完了できるように、メモリカード１３の排出速度を制御する。
【００７２】
図１２Ｂは、メモリカード１３が電気コネクタ２００から抜かれると、メモリカード１３側に対して割り込みが発生するようにした例である。この場合は、メモリカード１３側において、コントローラ１６１（例えば図６のＣＰＵ８３）の割り込み端子に対して、Ｖｃｃ端子１５１が高抵抗１６０を介して接続されると共に、ディテクト端子１５２が接続される。ディテクト端子１５２は、図１２Ａの例と同様に、他の端子よりも奥に配置される。一方、ホスト９０側では、ディテクト端子１５５とＧＮＤ端子１５６とが結線される。
【００７３】
このような構成において、メモリカード１３がメディア装填部１２から排出されると、その過程で、他の端子に先んじてディテクト端子１５２がホスト９０側の対応するディテクト端子１５５から離れる。すると、コントローラ１６１の割り込み端子の電位がＧＮＤ電位からＶｃｃ電位に変化し、コントローラ１６１に対して割り込みが発生する。この１２Ｂの例では、メモリカード１３側がファイルシステムを持っている場合のみに対応し、図１０のステップＳ１１２で説明したように、メモリカード１３内部でファイルサイズ情報などを更新し、ファイルクローズ処理を行う。メモリカード１３の排出速度の制御については、図１２Ａの例と同様である。
【００７４】
図１３は、メモリカード１３を排出のために押し込んだ際に、メモリカード１３側のディテクト端子１５２と、ホスト９０側のディテクト端子１５５とが接触するようにした例である。ディテクト端子１５５（または、メモリカード１３側においてはディテクト端子１５２）を通常に接続可能な位置よりもさらに奥に配置し、メモリカード１３を排出するために押し込んだ際に、ホスト９０側のディテクト端子１５５と、メモリカード１３側のディテクト端子１５２とが接触するようにし、この接触により割り込みを発生させることができる。
【００７５】
上述では、図１１、図１２Ａ、図１２Ｂおよび図１３の各方法をそれぞれ単独で用いるように説明したが、これはこの例に限定されず、複数の方法を組み合わせて用いることができる。例えば、図１１を用いて説明した方法と、図１２Ａまたは図１２Ｂを用いて説明した方法とを組み合わせてファイルクローズ処理を行うようにすることで、より堅牢な処理とすることができる。
【００７６】
図１４は、この発明の実施の第１の形態に適用可能なビデオカメラ装置１の一例の構成を示す。ビデオカメラ装置１は、概略的には、ビデオカメラを制御し映像信号を発生させるカメラブロック２０と、映像信号や映像信号に伴うオーディオ信号およびメタデータなどをメモリカード１３などの記録媒体に記録し、また、記録媒体に記録されたこれらのデータを再生するレコーダブロック２１とからなる。
【００７７】
カメラブロック２０から説明する。被写体からの光が光学系３１を介して撮像部３２に入射される。撮像部３２は、例えばＣＣＤ(Charge Coupled Device)を撮像素子として用い、入射された光を電気信号である撮像信号に変換して出力する。なお、光学系３１および撮像部３２は、カメラコントローラ３５からの制御信号により制御される。これにより、オートフォーカスやオートアイリスの制御、シャッタ制御などが行われる。撮像部３２から出力された撮像信号は、ビデオプロセッサ３３に供給され、Ａ／Ｄ変換されてディジタル信号とされ、さらに画質調整処理などを施され、ディジタルビデオ信号が発生される。
【００７８】
ビデオプロセッサ３３から出力されたディジタルビデオ信号は、ビデオ信号圧縮部３７で所定の方式で以て圧縮符号化される。圧縮符号化方式としては、例えばＭＰＥＧ２(Moving Pictures Experts Group 2)方式を用いることができる。ＭＰＥＧ方式では、ＤＣＴ(Discrete Cosine Transform)を用いたフレーム内圧縮符号化と、時系列方向の予測符号化を用いたフレーム間圧縮符号化とを用いてビデオデータを圧縮符号化する。ここで、時系列方向に予測符号化を行ったＢ(Bidirectionally)ピクチャおよびＰ(Predictive)ピクチャと、１画面（１フレーム）で完結するＩ(Intra)ピクチャとが定義され、ＧＯＰ(Group Of Picture)は、最低１枚のＩピクチャを含むそれ自身で完結したグループで、ＭＰＥＧのストリームにおいて独立してアクセス可能な最小の単位とされる。
【００７９】
ビデオ信号圧縮部３７で圧縮符号化されたディジタルビデオ信号は、ビデオインターフェイス３８を介してデータバス３０に供給され、データバス３０を介して、一旦ビデオ用バッファメモリ４５に溜め込まれる。ビデオ用バッファメモリ４５に書き込まれたディジタルビデオ信号は、後述するレコーダブロック２１におけるメモリカード１３への記録速度に応じて、読み出しが制御される。ビデオ用バッファメモリ４５から読み出されたディジタルビデオ信号は、後述するレコーダインターフェイス４４を介してレコーダブロック２１に送信される。
【００８０】
データバス３０には、さらに、カメラコントローラインターフェイス３６、ビデオプロセッサインターフェイス３４、操作部インターフェイス３９、ビューファインダインターフェイス４２およびレコーダインターフェイス４４の各インターフェイスと、カメラブロックコントローラ４１とが接続される。カメラブロックコントローラ４１は、ＣＰＵ(Central Processing Unit)、ＲＯＭ(Read Only Memory)およびＲＡＭ(Random Access Memory)を有し、ＣＰＵは、ＲＯＭに予め記憶された制御ソフトウェアプログラムに従い、このカメラブロック２０の全体を制御する。ＲＡＭは、その際のワークメモリとして用いられる。
【００８１】
また、カメラブロックコントローラ４１は、必要に応じて、データバス３０に接続された各インターフェイスとの間でデータなどのやりとりを行う。例えば、カメラブロックコントローラ４１は、ビデオプロセッサインターフェイス３４との間でデータやコマンドのやりとりを行い、ビデオプロセッサ３３を制御する。また、ビデオプロセッサ３３から得られた情報に基づき、カメラコントローラインターフェイス３６を介してカメラコントローラ３５に対してデータやコマンドを送り、カメラコントローラ３５を制御する。カメラコントローラインターフェイス３６を介してカメラコントローラ３５を制御する。
【００８２】
操作部４０は、このビデオカメラ装置１を操作するための各種ボタン、キーなどの操作子などが設けられ、各操作子に対する操作に応じた制御信号を出力する。操作部４０から出力された制御信号は、操作部インターフェイス３９を介してカメラブロックコントローラ４１に供給される。ビューファインダ４３は、例えばＬＣＤ(Liquid Crystal Display)による表示素子を有し、撮像部３２で撮影されている映像や、後述するメモリカード１３から再生された映像、各種メタデータを表示する。ビューファインダ４３で表示するための各種映像やデータは、バス３０からビューファインダインターフェイス４２を介して供給される。
【００８３】
なお、撮影時に発生される各種メタデータは、それぞれの発生ブロックからデータバス３０を介してカメラブロックコントローラ４１に供給される。メタデータとしては、例えば撮影の際の時間情報を示すタイムコード、撮影時の操作部４０に対する操作を示す情報、カメラコントローラ３５により取得された、撮像部３２におけるフォーカス情報、アイリス情報、フラッシュ情報などが考えられる。また、後述するオーディオプロセッサ５２から得られるオーディオレベル情報なども、メタデータとして扱われる。
【００８４】
レコーダインターフェイス４４は、カメラブロック２０側からカメラブロック２０とレコーダブロック２１とを接続するためのインターフェイスである。
【００８５】
レコーダブロック２１について説明する。カメラインターフェイス５１は、レコーダインターフェイス４４と接続され、レコーダブロック２１側からカメラブロック２０とレコーダブロック２１とを接続するためのインターフェイスである。例えば、ビデオ用バッファメモリ４５から所定のタイミングで読み出されたディジタルビデオ信号は、レコーダインターフェイス４４から送信され、カメラインターフェイス５１に受信されてデータバス５０に供給される。同様にして、撮影時に発生された各種メタデータがカメラブロックコントローラ４１からデータバス３０を介してレコーダインターフェイス４４に供給され、レコーダインターフェイス４４から送信されカメラインターフェイス５１に受信される。受信された各種メタデータは、データバス５０に供給される。
【００８６】
マイクロフォン７０から出力されたアナログオーディオ信号は、オーディオプロセッサ５２でディジタルオーディオ信号に変換されると共に、音質調整処理などを施されて出力される。このディジタルオーディオ信号は、オーディオインターフェイス５３を介してデータバス５０に供給され、オーディオ用バッファメモリ６０に一旦溜め込まれる。
【００８７】
データバス５０には、さらに、オーディオプロセッサインターフェイス５４、メカニズムインターフェイス６２、ＬＥＤ表示インターフェイス６６、メモリカードインターフェイス６５、ＬＣＤ表示インターフェイス５６およびコンピュータインターフェイス５８といった各種インターフェイスと、レコーダブロックコントローラ５５とが接続されると共に、メタデータを記録するためのメモリカード５９が接続される。メモリカード５９は、図示されないコネクタによりこのビデオカメラ装置１に対して着脱可能に接続される。また、レコーダブロックコントローラ５５は、ＣＰＵ、ＲＯＭおよびＲＡＭを有し、ＣＰＵは、ＲＯＭに予め記憶された制御ソフトウェアプログラムに従い、このレコーダブロック２１の全体を制御する。ＲＡＭは、その際のワークメモリとして用いられる。
【００８８】
また、レコーダブロックコントローラ５５は、必要に応じてデータバス５０に接続された各インターフェイスとの間でデータなどのやりとりを行う。例えば、レコーダブロックコントローラ５５は、オーディオプロセッサインターフェイス５４との間でデータやコマンドのやりとりを行い、オーディオプロセッサ５２を制御する。
【００８９】
メモリカード１３は、メモリカードホルダ６３によりビデオカメラ装置１内に保持され、図示されない電気コネクタ２００を介してメモリカードインターフェイス６５と接続される。メモリカードホルダ６３は、上述したメディア装填部１２の内部構造に含まれるものである。メモリカードインターフェイス６５は、データバス５０とメモリカード１３との間のデータやコマンドのやりとりを制御する。メモリカードホルダ６３に保持されたメモリカード１３は、例えば取り外しスイッチ１４を操作することで、メモリカードホルダ６３から取り外され、メディア装填部１２から排出される。
【００９０】
例えば、メモリカード１３がメモリカードホルダ６３から電動駆動により取り外される場合には、取り外しスイッチ１４は、操作に応じた制御信号を排出メカセンサ／コントローラ６１に供給する。排出メカセンサ／コントローラ６１は、取り外しスイッチ１４からの制御信号が供給されると、メモリカードホルダ６３に所定に設けられたセンサ類の出力信号を監視しながら、メモリカードホルダ６３におけるメモリカード１３の排出動作を制御し、メモリカードホルダ６３からメモリカード１３を押し出す。それと共に、メモリカード１３のコネクタが外れ、メモリカード１３とメモリカードインターフェイス６５との間の接続が絶たれる。
【００９１】
また例えば、メモリカード１３がメモリカードホルダ６３から、電動駆動されずに、人力に基づく機械的駆動により取り外される場合には、取り外しスイッチ１４を操作に応じた力が排出メカニズムに伝導され、メモリカード１３がメモリカードホルダ６３から押し出される。それと共に、メモリカード１３のコネクタが外れメモリカード１３ととメモリカードインターフェイス６５との間の接続が絶たれる。
【００９２】
一方、取り外しスイッチ１４が操作されると、例えば、排出メカセンサ／コントローラ６１から、メモリカード１３を取り外す旨がメカニズムインターフェイス６２を介してレコーダブロックコントローラ５５に通知される。レコーダブロックコントローラ５５は、この通知に応じてメモリカードインターフェイス６５とやりとりを行い、メモリカード１３に対して例えばファイルクローズ処理などを行う。なお、メモリカード１３のファイルクローズ処理は、上述したように、取り外しスイッチ１４が操作されてからメモリカード１３がコネクタから外れるまでの間に完了されるように、メモリカード１３の排出動作の速度が制御されてなされる。
【００９３】
また、取り外しスイッチ１４が操作されてメモリカード１３の排出動作がなされている間も、例えば操作部４０に対する記録操作が継続され、ディジタルビデオ信号の記録処理が継続される場合、ディジタルビデオ信号をビデオ用バッファメモリ４５に継続的に蓄えることができる。
【００９４】
なお、ディジタルビデオ信号をメモリカード１３に記録中に、メモリカード１３の排出動作を行う場合、後に排出されたメモリカード１３単体でディジタルビデオ信号が再生可能な形態でファイルクローズ処理されるようにすると、より好ましい。例えば、ディジタルビデオ信号の圧縮符号化をＭＰＥＧ２で行う場合、ＧＯＰ単位でファイルがクローズされるように処理することが考えられる。また、この実施の第１の形態では、ディジタルオーディオ信号の圧縮符号化は行わないので、ディジタルオーディオ信号については、サンプル単位でファイルクローズ処理を行えばよい。圧縮符号化されたディジタルオーディオ信号を記録する場合には、ディジタルオーディオ信号の圧縮符号化の単位と、ディジタルビデオ信号の圧縮符号化の単位とを考慮に入れる必要がある。
【００９５】
ＬＥＤ(Light Emitting Diode)１５は、例えばメモリカード１３に対するアクセス状態などを表示する。レコーダブロックコントローラ５５からＬＥＤ表示インターフェイス６６を介して送られる表示制御信号に応じて、ＬＥＤ１５の表示が制御される。図１を用いて説明したように、ＬＥＤ表示インターフェイス６６は、例えば緑色ＬＥＤ１５（Ｇ）および赤色ＬＥＤ１５（Ｒ）といったように、複数のＬＥＤ１５の制御が可能である。
【００９６】
図１５を用いて、ＬＥＤ表示インターフェイス６６によるＬＥＤ１５の表示制御について説明する。この図１５の例では、ＬＥＤ１５は、緑色ＬＥＤ１５（Ｇ）および赤色ＬＥＤ１５（Ｒ）の２個が用いられる。先ず、操作部４０に対する記録開始操作がユーザによってなされ（ステップＳ４０）、この操作に応じて、撮影され得られたディジタルビデオ信号のメモリカード１３に対する記録処理が開始される（ステップＳ４１）。記録処理が開始されることにより、メモリカード１３において、例えば図１０で説明したステップＳ１１０のようにしてファイルオープン処理が行われる。ファイルオープン処理が行われると、レコーダブロックコントローラ５５の命令に基づくＬＥＤ表示インターフェイス６６の制御により、赤色ＬＥＤ１５（Ｒ）が点灯される（ステップＳ４２）。
【００９７】
そして、ステップＳ４３で、ユーザにより取り外しスイッチ１４が操作されると、例えば図１０で説明したステップＳ１１２のようにしてデータファイルクローズ処理が行われる（ステップＳ４４）。データファイルクローズ処理が開始されると、レコーダブロックコントローラ５５の命令に基づくＬＥＤ表示インターフェイス６６の制御により、赤色ＬＥＤ１５（Ｒ）が消灯され、緑色ＬＥＤ１５（Ｇ）が点灯される（ステップＳ４５）。そして、ファイルクローズ処理が完了すると、ステップＳ４６でメモリカード１３の排出処理がなされ、メモリカードがメディア装填部１２から取り出し可能となると、ユーザにより、メモリカード１３が取り出される（ステップＳ４７）。緑色ＬＥＤ１５（Ｇ）は、ステップＳ４６の段階で消灯してもよいし、メモリカード１３がユーザにより取り出されてから消灯するようにしてもよい。
【００９８】
このように、ファイルオープン／クローズ状態を示す表示を行うことで、ユーザに対して安心感を与えることができる。
【００９９】
ＬＣＤ表示部５７は、レコーダブロック２１の動作状態などを表示するためのもので、レコーダブロックコントローラ５５からＬＣＤ表示インターフェイス５６を介して送られる表示制御信号に応じて、ＬＣＤ表示部５７の表示が制御される。また、コンピュータインターフェイス５８は、このビデオカメラ装置１を外部のコンピュータ装置に接続する際のインターフェイスである。
【０１００】
次に、この発明の実施の第１の形態に適用可能な一例のデータ管理構造について、図１６〜図１８を用いて説明する。この発明の実施の第１の形態では、データは、ディレクトリ構造で管理される。ファイルシステムとしては例えばＵＤＦ(Universal Disk Format)が用いられ、図１６に一例が示されるように、ルートディレクトリ（ｒｏｏｔ）の直下にディレクトリＰＡＶが設けられる。この実施の第１の形態では、このディレクトリＰＡＶ以下を定義する。この発明の実施の第１の形態におけるデータ管理が及ばないディレクトリＰＡＶに対するデータの記録は、任意である。
【０１０１】
ディレクトリＰＡＶの直下には、４つのファイル（INDEX.XML、INDEX.RSV、DISCINFO.XMLおよびDISCINFO.RSV）が置かれると共に、２つのディレクトリ（ＣＬＰＲおよびＥＤＴＲ）が設けられる。
【０１０２】
ディレクトリＣＬＰＲは、クリップデータを管理する。ここでいうクリップは、例えば撮影が開始されてから停止されるまでの、ひとまとまりのデータである。例えば、ビデオカメラの操作において、操作開始ボタンが押されてから操作停止ボタンが押される（操作開始ボタンが解放される）までが１つのクリップとされる。
【０１０３】
このひとまとまりのデータとは、上述した本線系のオーディオデータおよびビデオデータと、当該オーディオデータおよびビデオデータから生成された補助ＡＶデータと、当該オーディオデータおよびビデオデータに対応した時系列メタデータと非時系列メタデータとからなる。ディレクトリＣＬＰＲの直下に設けられたディレクトリ「C0001」、「C0002」、・・・には、クリップ毎に、クリップを構成するひとまとまりのデータが格納される。
【０１０４】
すなわち、クリップは、図１７に一例が示されるように、記録開始から終了までの共通の時間軸を有するビデオデータ、各チャンネルのオーディオデータ（１）、（２）、・・・、補助ＡＶデータおよび時系列メタデータ、ならびに、非時系列メタデータから構成される。なお、図１７では、非時系列メタデータは、省略されている。
【０１０５】
図１８は、ディレクトリＣＬＰＲの直下に設けられた、一つのクリップ「C0001」に対応するディレクトリ「C0001」の一例の構造を示す。以下、ディレクトリＣＬＰＲの直下の一つのクリップに対応するディレクトリを、適宜、クリップディレクトリと称する。クリップディレクトリの構成は、上述した図１７の構成と略対応するものである。すなわち、クリップディレクトリ「C0001」に対して、上述のひとまとまりのデータのそれぞれがファイル名により区別されて格納される。
【０１０６】
より具体的には、この図１８の例では、クリップ「C0001」を構成するひとまとまりのファイルとして、クリップ情報を示すファイル「C0001C01.SMI」、本線系ビデオデータファイル「C0001V01.MXF」、本線系の８ｃｈ分のオーディオデータファイル「C0001A01.MXF」〜「C0001A08.MXF」、本線系のＡＶデータがさらに高圧縮率で圧縮符号化された補助ＡＶデータが格納される補助ＡＶデータファイル「C0001S01.MXF」、非時系列メタデータファイル「C0001M01.XML」、時系列メタデータファイル「C0001R01.BIM」およびポインタ情報ファイル「C0001I01.PPF」が、クリップディレクトリ「C0001」に格納される。
【０１０７】
ディレクトリＥＤＴＲは、編集情報が管理される。編集結果は、エディットリストやプレイリストとして記録される。ディレクトリＥＤＴＲの直下に設けられたディレクトリ「E0001」、「E0002」、・・・には、編集結果毎に、編集結果を構成するひとまとまりのデータが格納される。
【０１０８】
ファイル「INDEX.XML」は、ディレクトリＰＡＶ以下に格納された素材情報を管理するインデックスファイルである。このファイル「INDEX.XML」により、上述した各クリップおよびエディットリストが管理される。ファイル「DISCINFO.XML」は、このディスクに関する情報が管理される。再生位置情報なども、このファイル「DISCINFO.XML」に保存される。
【０１０９】
この実施の第１の形態では、データがこのようにクリップ単位で管理される。そのため、記録中にメモリカード１３を排出し、ファイルクローズ処理を行う際には、クリップ単位でファイルをクローズすると、上述したディレクトリ構造をメモリカード１３内に構築することができ、より好ましい。この場合には、例えば、ファイルクローズ処理を行った部分を強制的にクリップとして管理する方法が考えられる。
【０１１０】
なお、時系列および／または非時系列メタデータは、メモリカード１３に限らず、メタデータ用のメモリカード５９に記録することもできる。メモリカード５９は、メモリカード１３と同時に取り外す必要はない。ここで、メモリカード１３の排出処理に伴うクリップ作成のタイミングに対応して、メモリカード５９に記録するメタデータを区切ると、メモリカード１３に記録されたデータを再生する際に、対応するメタデータを容易に検索でき、好ましい。
【０１１１】
次に、この発明の実施の第２の形態について説明する。図１９は、この発明の実施の第２の形態に適用されるビデオカメラ装置１’の外観を概略的に示す。なお、図１９において、ビューファインダや操作部など、この発明にとって関連性の薄い部分については、繁雑さを避けるため、記載を省略する。このビデオカメラ装置１’は、上述した実施の第１の形態のビデオカメラ装置１に対して、本体１０’に対してメディア装填部１２を２基、設けたものである。
【０１１２】
すなわち、図１９において、２基のメディア装填部１２Ａおよび１２Ｂには、それぞれメモリカード１３Ａおよび１３Ｂを同時に装填することができる。また、メディア装填部１２Ａおよび１２Ｂには、それぞれ取り外しスイッチ１４Ａおよび１４Ｂが設けられる（取り外しスイッチを用いてメモリカードを排出する場合）。
【０１１３】
それと共に、メディア装填部１２Ａおよび１２Ｂのそれぞれに対応して、緑色ＬＥＤ１５（Ｇ）Ａおよび赤色ＬＥＤ１５（Ｒ）Ａ、ならびに、緑色ＬＥＤ１５（Ｇ）Ｂおよび赤色ＬＥＤ（１５）Ｂが設けられる。緑色ＬＥＤ１５（Ｇ）Ａおよび赤色ＬＥＤ１５（Ｒ）Ａは、メディア装填部１２Ａに装填されたメモリカード１３Ａのファイルクローズ／オープン状態を示し、緑色ＬＥＤ１５（Ｇ）Ｂおよび赤色ＬＥＤ１５（Ｒ）Ｂは、メディア装填部１２Ｂに装填されたメモリカード１３Ｂのファイルクローズ／オープン状態を示す。
【０１１４】
このような構成のビデオカメラ装置１’は、例えば、図１４を用いて説明したビデオカメラ装置１の構成に対して、取り外しスイッチ１４、排出メカセンサ／コントローラ６１、メカニズムインターフェイス６２、メモリカードホルダ６３およびメモリカードインターフェイス６５を１組追加し、２枚のメモリカード１３を装填する手段を設けることで、実現可能である。排出メカセンサ／コントローラ６１およびメカニズムインターフェイス６２は、構成によっては追加不要である。また、ＬＥＤ表示インターフェイス６６や、メタデータ用のメモリカード５９を、それぞれさらに追加してもよい。
【０１１５】
また、上述した実施の第１の形態で説明した、メディア装填部１２におけるメモリカード１３の排出機構、メモリカード１３におけるファイルオープンおよびクローズ処理、データの管理構造などは、全て、この実施の第２の形態にも、同様に適用される。ファイルのオープンおよびクローズ処理は、ファイルシステムをホスト９０で持っている場合の処理と、ファイルシステムをメモリカード側で持っている処理とをそれぞれ適用できる。
【０１１６】
この発明の実施の第２の形態では、ビデオカメラ装置１’は、メディア装填部１２Ａおよび１２Ｂにそれぞれメモリカード１３Ａおよび１３Ｂを装填している際に、現在記録中のメモリカード（例えばメモリカード１３Ａ）の排出操作を行うと、他のメモリカード（例えばメモリカード１３Ｂ）に継続的に記録を開始すると共に、排出操作が行われたメモリカード１３Ａに対しては、ファイルクローズ処理が行われる。ファイルクローズ処理が完了すると、メモリカード１３Ａが自動的に排出される。
【０１１７】
図２０は、この実施の第２の形態によるメモリカード排出処理の一例のフローチャートを示す。なお、このフローチャートの処理に先立って、メディア装填部１２Ａおよび１２Ｂには、メモリカード１３Ａおよび１３Ｂがそれぞれ装填されており、現在は、メモリカード１３Ａに対して記録が行われているものとする。
【０１１８】
ビデオカメラ装置１において、ディジタルビデオ信号をメモリカード１３Ａに記録中に取り外しスイッチ１４Ａを操作すると（ステップＳ２０）、別のメモリカード（メモリカード１３Ｂ）に対する記録処理が開始される（ステップＳ２１）。このとき、メモリカード１３Ｂの空き容量などを調べて、メモリカード１３Ｂにデータの記録が可能か否かを判断するとよい。次のステップＳ２２で、記録中のメモリカード１３Ａにおいてデータファイルクローズ処理が行われる。
【０１１９】
次のステップＳ２３では、メモリカード１３Ａの排出処理が開始される。この排出処理は、既に説明したように、メモリカード１３Ａにおけるファイルクローズ処理が完了するまでは、メモリカード１３Ａにおいてメモリカードインターフェイス６５との必要な接続が保たれるように、排出速度が制御されて行われる。ステップＳ２３の排出動作が完了されると、メモリカード１３Ａがメディア装填部１２Ａから取り出し可能な状態となる。ステップＳ２４で、ユーザによりメモリカード１３Ａがメディア装填部１２Ａから取り出される。
【０１２０】
この実施の第２の形態によれば、このように、メディア装填部を複数有し、複数のメモリカードを装填可能なビデオカメラ装置１’において、取り外しスイッチ１４Ａを操作するだけで、現在記録中メモリカード１３Ａに対する記録終了処理（ファイルクローズ処理）および排出処理と、次のメモリカード１３Ｂに対する記録開始処理を自動的に行うことができる。これにより、より長時間の連続記録が可能とされる。
【０１２１】
次に、この発明の実施の第３の形態について説明する。図２１は、この発明の実施の第３の形態によるビデオカメラ装置１の使用形態を説明するための図である。図２１に一例が示されるように、実施の第３の形態では、上述した実施の第１の形態に適用されるビデオカメラ装置１と同等の装置を適用することができる。
【０１２２】
また、上述した実施の第１の形態で説明した、メディア装填部１２におけるメモリカード１３の排出機構、メモリカード１３におけるファイルオープンおよびクローズ処理、データの管理構造などは、全て、この実施の第３の形態にも、同様に適用される。ファイルのオープンおよびクローズ処理は、ファイルシステムをホスト９０で持っている場合の処理と、ファイルシステムをメモリカード側で持っている処理とをそれぞれ適用できる。
【０１２３】
この実施の第３の形態では、取り外しスイッチ１４を操作すると、現在記録中のメモリカード１３Ａに対するファイルクローズ処理を行い、当該メモリカード１３への記録を終了する。メモリカード１３Ａへの記録が終了していても、ビデオ用バッファメモリ４５に対するディジタルビデオ信号の記憶や、オーディオ用バッファメモリ６０に対するディジタルオーディオ信号の記憶は、継続している。ファイルクローズ処理が完了すると、メモリカード１３Ａがメディア装填部１２から排出される。そして、次のメモリカード１３Ｂがメディア装填部１２に装填されると、当該メモリカード１３Ｂに対してファイルオープン処理がなされ、メモリカード１３Ａに対するファイルクローズ処理が行われてからビデオ用バッファメモリ４５およびオーディオ用バッファメモリ６０に記憶されたデータが、メモリカード１３に対して記録され、さらに、撮影によって得られたデータがメモリカード１３Ｂに記録される。バッファメモリに記憶されたデータを用いて、メモリカードを交換しながら記録が行え、長時間の連続記録が可能である。
【０１２４】
なお、この実施の第３の形態は、図２１に一例が示されるメディア装填部１２を１基、有するビデオカメラ装置１に限らず、上述した実施の第２の形態で図１９を用いて説明した、メディア装填部１２Ａおよび１２Ｂの２基のメディア装填部を有するビデオカメラ装置１’にも適用することができる。この場合には、例えばメディア装填部１２Ａに装填されたメモリカード１３Ａに対するファイルクローズ処理を行い、当該メモリカード１３Ａへの記録を終了する。記録が終了されると、メモリカード１３Ａに対する排出処理が実行される。
【０１２５】
メモリカード１３Ａへの記録が終了していても、ビデオ用バッファメモリ４５に対するディジタルビデオ信号の記憶や、オーディオ用バッファメモリ６０に対するディジタルオーディオ信号の記憶は、継続している。そこで、メディア装填部１２Ｂに装填されたメモリカード１３Ｂに対してファイルオープン処理を行い、データの記録先をメモリカード１３Ｂに変更する。メモリカード１３Ｂのァイルオープン処理が完了すると、メモリカード１３Ａに対するファイルクローズ処理が行われる。そして、メモリカード１３Ａに対するファイルクローズ処理が行われてからメモリカード１３Ｂに対するファイルオープン処理が完了しメモリカード１３に対する記録が可能となるまでのデータが、ビデオ用バッファメモリ４５およびオーディオ用バッファメモリ６０から読み出され、メモリカード１３Ｂに記録される。そして、撮影され得られたデータがメモリカード１３Ｂに対して継続的に記録される。
【０１２６】
図２２は、この実施の第３の形態によるメモリカード排出処理の一例のフローチャートを示す。なお、このフローチャートの処理に先立って、メディア装填部１２Ａには、メモリカード１３Ａが装填されており、メモリカード１３Ａに対して記録が行われているものとする。
【０１２７】
ビデオカメラ装置１において、ディジタルビデオ信号をメモリカード１３Ａに記録中に取り外しスイッチ１４が操作される（ステップＳ３０）。バッファメモリ（ビデオ用バッファメモリ４５およびオーディオ用バッファメモリ６０）に対する記録データの蓄積は、継続される（ステップＳ３１）。
【０１２８】
ここで、複数のメディア装填部を有しているビデオカメラ装置１’を用いている場合、処理は次のステップＳ３２に移行し、次に記録を行いたいメモリカード１３Ｂがメディア装填部１２Ｂに装填されているか否かが判断される。若し、装填されていないと判断されれば、処理はステップＳ３３に移行し、現在記録中のメモリカード１３Ａに対するファイルクローズ処理が行われる。なお、１基のメディア装填部を有しているビデオカメラ装置１を用いている場合は、ステップＳ３１からステップＳ３３に、直接的に処理が移行され、メモリカード１３Ａに対するファイルクローズ処理が行われる。
【０１２９】
次のステップＳ３４では、メモリカード１３Ａの排出処理が開始される。この排出処理は、既に説明したように、メモリカード１３Ａにおけるファイルクローズ処理が完了するまでは、メモリカード１３Ａにおいてメモリカードインターフェイス６５との必要な接続が保たれるように、排出速度が制御されて行われる。ステップＳ３４の排出動作が完了されると、メモリカード１３Ａがメディア装填部１２から取り出し可能な状態となる。ステップＳ３５で、ユーザによりメモリカード１３Ａがメディア装填部１２から取り出される。そして、ステップＳ３６で、次のメモリカード１３Ｂがメディア装填部１２（ビデオカメラ装置１’の場合は、メディア装填部１２Ａまたはメディア装填部１２Ｂ）に装填される。次のステップＳ３７で、次のメモリカード１３Ｂに対する記録処理が開始される。
【０１３０】
この実施の第３の形態の場合、バッファメモリを用いて、現在記録中のメモリカード１３Ａから次のメモリカード１３Ｂへと、継続的に記録を行うことができる。このとき、メモリカード１３Ａに記録されたディジタルビデオ信号と、メモリカード１３Ｂに記録されるディジタルビデオ信号とが再生時に時間的に連続して再生できるように制御すると、好ましい。
【０１３１】
例えば、ディジタルビデオ信号がＭＰＥＧ２方式で圧縮符号化され、ＧＯＰ単位で記録が行われる場合、メモリカード１３Ａにおいてファイルクローズ処理されたＧＯＰの次のＧＯＰから、メモリカード１３Ｂに対する記録が行われるようにする。また、クリップ単位で記録が行われる場合、例えば、ステップＳ２０で取り外しスイッチ１４の操作に伴いクリップを強制的に終了させ、メモリカード１３Ａには、終了されたクリップに基づき管理構造を構築すると共に、終了されたクリップについてファイルクローズ処理を行い、メモリカード１３Ｂには、次のクリップから記録を開始する。これらのファイルクローズ位置および記録開始位置の制御は、例えば、ビデオ用バッファメモリ４５に溜め込まれたディジタルビデオ信号の読み出し制御により可能である。
【０１３２】
このように、この発明の実施の第３の形態では、取り外しスイッチ１４を操作するだけで、現在記録中のメモリカード１３Ａに対する記録処理が終了されると共に、当該メモリカード１３Ａが排出される。データは、バッファメモリに継続的に記憶されているため、次のメモリカード１３Ｂをメディア装填部１２に装填すれば、バッファメモリに記憶されたデータがメモリカード１３Ｂに記録されると共に、新たなデータがメモリカード１３Ｂにさらに記録される。そのため、より長時間の連続記録が可能とされる。バッファメモリを用いているため、メディア装填部を複数有さなくても、複数枚のメモリカードを用いた連続記録が可能である。
【０１３３】
なお、上述では、メモリカード１３の排出機構として、取り外しスイッチ１４を用いて、人力に基づき機械的に排出する方法と、取り外しスイッチ１４を用いずに、メモリカード１３を２回目に押し込んだときに排出される方法との２通りについて説明したが、これはこの例に限定されない。すなわち、ファイルクローズ処理中にメモリカード１３を取り出せないようにする方法であれば、他の方法を用いることもできる。
【０１３４】
例えば、メディア装填部１２を、電気モータなどを用いた電動式の構造とすることができる。一例として、メモりカード１３をメディア装填部１２に挿入すると、メディア装填部１２は、メモリカード１３が挿入されたことを検知し、電動駆動によりメモリカード１３をメモリカードホルダ６３の位置までローディングし、コネクタとの電気的接続を得る。取り外しスイッチ１４が押されると、メディア装填部１２は、ファイルクローズ処理の完了後にメモリカード１３を取り外し可能となるように速度制御して、電動駆動にてメモリカード１３をコネクタから抜き去り、ユーザが取り出し可能な位置までアンローディングする。
【０１３５】
また例えば、メディア装填部１２を、電気モータを用いたローディングなどを行わず、単にメモリカード１３をラッチする構造とすることも可能である。一例として、メディア装填部１２に電磁石など電動にて駆動可能な爪部を設けると共に、メモリカード１３に、当該爪部に係合可能なように凹部を設ける。メモリカード１３をメディア装填部１２に挿入すると、メモリカード１３のコネクタがメモリカードホルダ６３に対して電気的に接続される位置で爪部がメモリカード１３の凹部に係合され、メモリカード１３がメモリカードホルダ６３に固定される。ファイルクローズ処理が完了されると、電動駆動にて爪部のロックが自動的に解除され、メモリカード１３が取り外し可能な状態となる。
【０１３６】
また、上述では、複数のメディア装填部を有するときに、それぞれに同一種類の記録媒体を装填するように説明したが、これはこの例に限定されない。それぞれ異なる種類の記録媒体を装填可能な複数のメディア装填部を、１台の記録装置に設けてもよい。
【０１３７】
さらに、上述では、この発明がビデオカメラ装置に適用されるように説明したが、これはこの例に限定されず、この発明は、カメラ部を有さないビデオ記録装置に適用することもできる。例えば、カメラ部とレコーダ部とが別個の筐体として構成され、ケーブルなどで接続して用いるようにした記録装置にも、この発明を適用することができる。
【図面の簡単な説明】
【０１３８】
【図１】この発明の実施の第１の形態に適用されるビデオカメラ装置の外観を概略的に示す略線図である。
【図２】この発明の実施の第１の形態によるメモリカード排出処理の一例のフローチャートである。
【図３】メディア装填部の構造例を示す略線図である。
【図４】メディア装填部の構造例を示す略線図である。
【図５】メディア装填部の構造例を示す略線図である。
【図６】メモリカードの一例の構成を示すブロック図である。
【図７】フラッシュメモリ部の一例の構成をより詳細に示す略線図である。
【図８】ホスト側がファイルシステムを持つ場合のファイルのオープンおよびクローズ処理について説明するためのフローチャートである。
【図９】メモリカード側がファイルシステムを持つ場合の処理の例を説明するための図である。
【図１０】メモリカード側がファイルシステムを持つ場合のファイルのオープンおよびクローズ処理について説明するためのフローチャートである。
【図１１】取り外しスイッチを用いないでファイルクローズ処理を実現する方法について説明するための図である。
【図１２】取り外しスイッチを用いないでファイルクローズ処理を実現する方法について説明するための図である。
【図１３】取り外しスイッチを用いないでファイルクローズ処理を実現する方法について説明するための図である。
【図１４】この発明の実施の第１の形態に適用可能なビデオカメラ装置の一例の構成を示すブロック図である。
【図１５】ＬＥＤの表示制御について説明するためのフローチャートである。
【図１６】この発明の実施の第１の形態に適用可能な一例のデータ管理構造について説明するための図である。
【図１７】この発明の実施の第１の形態に適用可能な一例のデータ管理構造について説明するための図である。
【図１８】この発明の実施の第１の形態に適用可能な一例のデータ管理構造について説明するための図である。
【図１９】この発明の実施の第２の形態に適用されるビデオカメラ装置の外観を概略的に示す略線図である。
【図２０】この実施の第２の形態によるメモリカード排出処理の一例のフローチャートである。
【図２１】この発明の実施の第３の形態によるビデオカメラ装置１の使用形態を説明するための図である。
【図２２】この実施の第２の形態によるメモリカード排出処理の一例のフローチャートである。
【符号の説明】
【０１３９】
１，１  ビデオカメラ装置
１２，１２Ａ，１２Ｂ  メディア装填部
１３，１３Ａ，１３Ｂ  メモリカード
１４，１４Ａ，１４Ｂ  取り外しスイッチ
１５（Ｇ），１５（Ｇ）Ａ，１５（Ｇ）Ｂ  緑色ＬＥＤ
１５（Ｒ），１５（Ｒ）Ａ，１５（Ｒ）Ｂ  赤色ＬＥＤ
３２  撮像部
３３  ビデオプロセッサ
４０  操作部
４１  カメラブロックコントローラ
４５  ビデオ用バッファメモリ
５５  レコーダブロックコントローラ
６０  オーディオ用バッファメモリ
６１  排出メカセンサ／コントローラ
６３  メモリカードホルダ
６５  メモリカードインターフェイス
６６  ＬＥＤ表示インターフェイス
８０  コントローラ部
８１  フラッシュメモリ部
８２  ホストインターフェイス
８３  ＣＰＵ
【図１】
2005309540.tif 000003
【図２】
2005309540.tif 000004
【図３】
2005309540.tif 000005
【図４】
2005309540.tif 000006
【図５】
2005309540.tif 000007
【図６】
2005309540.tif 000008
【図７】
2005309540.tif 000009
【図８】
2005309540.tif 000010
【図９】
2005309540.tif 000011
【図１０】
2005309540.tif 000012
【図１１】
2005309540.tif 000013
【図１２】
2005309540.tif 000014
【図１３】
2005309540.tif 000015
【図１４】
2005309540.tif 000016
【図１５】
2005309540.tif 000017
【図１６】
2005309540.tif 000018
【図１７】
2005309540.tif 000019
【図１８】
2005309540.tif 000020
【図１９】
2005309540.tif 000021
【図２０】
2005309540.tif 000022
【図２１】
2005309540.tif 000023
【図２２】
2005309540.tif 000024